【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
サービスにアクセスするための位置ベースの資格情報を装置に付与するための方法であって、前記装置は位置識別情報に関連し、前記方法は、
前記装置への給電元である電力配電回路網の識別情報を受信することであって、前記識別情報は前記電力配電回路網上での電力線通信により前記装置によって受信されること、及び
前記電力配電回路網の前記識別情報が前記位置識別情報と合致する場合は前記装置に前記資格情報を付与すること
を含む、方法。
【請求項２】
前記識別情報が前記電力配電回路網に接続される別の装置から受信される、請求項１に記載の方法。
【請求項３】
前記他の装置が前記電力配電回路網上で電力を届ける電力供給システムの電力計である、請求項２に記載の方法。
【請求項４】
前記電力配電回路網の前記識別情報が前記電力配電回路網上で周期的に伝送されるビーコン内で前記装置によって受信される、請求項１ないし３の何れか一項に記載の方法。
【請求項５】
前記位置識別情報が前記装置内で準備され、前記位置識別情報に対する前記電力配電回路網の前記識別情報の合致が前記装置内で評価される、請求項１ないし４の何れか一項に記載の方法。
【請求項６】
装置識別情報及び前記電力配電回路網の前記識別情報を通信ネットワークによってサーバに伝送することを更に含み、前記電力配電回路網の前記識別情報が前記位置識別情報と合致する場合は前記装置が前記付与される資格情報を前記サーバから受信する、請求項１ないし４の何れか一項に記載の方法。
【請求項７】
前記識別情報が前記位置識別情報と合致しない場合、前記電力配電回路網の前記受信済みの識別情報から不正な位置の指示を得ることを更に含む、請求項６に記載の方法。
【請求項８】
サービスにアクセスする装置の位置を特定するための方法であって、
前記装置への給電元である電力配電回路網の識別情報を前記装置から受信することであって、前記識別情報は前記電力配電回路網上での電力線通信により前記装置によって受信されること、及び
前記電力配電回路網の前記受信済みの識別情報に基づいて前記装置の位置を特定することであって、前記電力配電回路網の前記識別情報は位置に関連すること
を含む、方法。
【請求項９】
サービスにアクセスするための位置ベースの資格情報が付与されている装置であって、前記装置は位置識別情報に関連し、
前記装置への給電元である電力配電回路網の識別情報を受信することであって、前記識別情報は前記電力配電回路網上での電力線通信により前記装置によって受信されること、及び
前記電力配電回路網の前記識別情報が前記位置識別情報と合致する場合は前記サービスにアクセスするための前記資格情報を付与すること
を行うように構成される少なくとも１個のプロセッサを含む、装置。
【請求項１０】
前記識別情報が、前記電力配電回路網上で電力を届ける電力供給システムの電力計から受信される、請求項９に記載の装置。
【請求項１１】
前記位置識別情報が前記装置内で準備され、前記位置識別情報に対する前記電力配電回路網の前記識別情報の合致が前記装置内で評価される、請求項９又は１０に記載の装置。
【請求項１２】
装置識別情報及び前記電力配電回路網の前記識別情報をサーバに伝送するように前記プロセッサが更に構成され、前記付与される資格情報が前記サーバから受信される、請求項８又は９に記載の装置。
【請求項１３】
サービスにアクセスするための位置ベースの資格情報を装置に付与するサーバであって、前記装置は位置識別情報に関連し、前記サーバが、
装置識別情報及び前記装置への給電元である電力配電回路網の識別情報を前記装置から受信することであって、前記識別情報は前記電力配電回路網上での電力線通信により前記装置によって受信されること、及び
前記電力配電回路網の前記識別情報が前記位置識別情報と合致する場合は前記装置に前記資格情報を付与すること
を行うように構成される少なくとも１個のプロセッサを含む、サーバ。
【請求項１４】
サービスにアクセスするための位置ベースの資格情報を装置に付与するためのコンピュータプログラムであって、前記装置は位置識別情報に関連し、前記コンピュータプログラムは、
前記装置への給電元である電力配電回路網の識別情報を受信することであって、前記識別情報は前記電力配電回路網上での電力線通信により前記装置によって受信されること、及び
前記電力配電回路網の前記識別情報が前記位置識別情報と合致する場合は前記サービスにアクセスするための前記資格情報を付与すること
を行うためにプロセッサによって実行可能なプログラムコード命令を含む、
コンピュータプログラム。
【請求項１５】
装置識別情報及び前記電力配電回路網の前記識別情報をサーバに伝送する
ためにプロセッサによって実行可能なプログラムコード命令を更に含み、前記付与される資格情報は前記サーバから受信される、請求項１４に記載のコンピュータプログラム。
【手続補正２】
【補正対象書類名】明細書
【補正対象項目名】００６８
【補正方法】変更
【補正の内容】
【００６８】
例示的且つ非限定的な実施形態によれば、処理装置３は
−セットトップボックス、
−ＴＶ装置、
−デジタルメディアプレーヤ装置、
−ゲーム機、
−インターネットゲートウェイ装置、
−スマートフォン、
−モバイル装置、
−タブレット（又はタブレットコンピュータ）、
−ラップトップ、
−サーバ、
−通信装置
を含む組に属する装置である。
［付記１］
サービスにアクセスするための位置ベースの資格情報を装置（２１２）に付与するための方法であって、前記装置（２１２）は位置識別情報に関連し、前記方法は、
前記装置（２１２）への給電元である電力配電回路網（２１０）の識別情報（ＩＤＬ１）を受信すること（Ｓ１２）であって、前記識別情報（ＩＤＬ１）は前記電力配電回路網（２１０）上での電力線通信により前記装置（２１２）によって受信されること（Ｓ１２）、及び
前記電力配電回路網（２１０）の前記識別情報（ＩＤＬ１）が前記位置識別情報と合致する場合は前記装置（２１２）に前記資格情報を付与すること（Ｓ１８）
を含む、方法。
［付記２］
前記識別情報（ＩＤＬ１）が前記電力配電回路網（２１０）に接続される別の装置から受信される、付記１に記載の方法。
［付記３］
前記他の装置が前記電力配電回路網（２１０）上で電力を届ける電力供給システム（２３）の電力計（２１１）である、付記２に記載の方法。
［付記４］
前記電力配電回路網の前記識別情報（ＩＤＬ１）が前記電力配電回路網（２１０）上で周期的に伝送されるビーコン内で前記装置（２１２）によって受信される、付記１ないし３の何れか一つに記載の方法。
［付記５］
前記位置識別情報が前記装置（２１２）内で準備され、前記位置識別情報に対する前記電力配電回路網の前記識別情報（ＩＤＬ１）の合致が前記装置（２１２）内で評価される、付記１ないし４の何れか一つに記載の方法。
［付記６］
装置識別情報（ＩＤＤ１）及び前記電力配電回路網の前記識別情報（ＩＤＬ１）を通信ネットワーク（２４）によってサーバ（２５）に伝送することを更に含み、前記電力配電回路網の前記識別情報（ＩＤＬ１）が前記位置識別情報と合致する場合は前記装置（２１２）が前記付与される資格情報を前記サーバ（２５）から受信する、付記１ないし４の何れか一つに記載の方法。
［付記７］
前記識別情報が前記位置識別情報と合致しない場合、前記電力配電回路網の前記受信済みの識別情報から不正な位置（２２）の指示を得ることを更に含む、付記６に記載の方法。
［付記８］
サービスにアクセスする装置（２１２、２１３）の位置を特定するための方法であって、
前記装置（２１２、２１３）への給電元である電力配電回路網（２１０、２２０）の識別情報（ＩＤＬ１、ＩＤＬ２）を前記装置（２１２、２１３）から受信することであって、前記識別情報（ＩＤＬ１、ＩＤＬ２）は前記電力配電回路網（２１０、２２０）上での電力線通信により前記装置（２１２、２１３）によって受信されること、及び
前記電力配電回路網（２１０、２２０）の前記受信済みの識別情報（ＩＤＬ１、ＩＤＬ２）に基づいて前記装置（２１２、２１３）の位置を特定することであって、前記電力配電回路網（２１０、２２０）の前記識別情報は位置に関連すること
を含む、方法。
［付記９］
サービスにアクセスするための位置ベースの資格情報が付与されている装置（２１２）であって、前記装置（２１２）は位置識別情報に関連し、
前記装置（２１２）への給電元である電力配電回路網（２１０）の識別情報（ＩＤＬ１）を受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記サービスにアクセスするための前記資格情報を付与すること
を行うように構成される少なくとも１個のプロセッサを含む、装置（２１２）。
［付記１０］
前記識別情報（ＩＤＬ１）が、前記電力配電回路網（２１０）上で電力を届ける電力供給システムの電力計から受信される、付記９に記載の装置（２１２）。
［付記１１］
前記位置識別情報が前記装置（２１２）内で準備され、前記位置識別情報に対する前記電力配電回路網の前記識別情報（ＩＤＬ１）の合致が前記装置（２１２）内で評価される、付記９又は１０に記載の装置（２１２）。
［付記１２］
装置識別情報（ＩＤＤ１）及び前記電力配電回路網（２１０）の前記識別情報（ＩＤＬ１）をサーバ（２５）に伝送するように前記プロセッサが更に構成され、前記付与される資格情報が前記サーバから受信される、付記８又は９に記載の装置（２１２）。
［付記１３］
サービスにアクセスするための位置ベースの資格情報を装置に付与するサーバ（２５）であって、前記装置（２１２）は位置識別情報に関連し、前記サーバ（２５）が、
装置識別情報（ＩＤＤ１）及び前記装置（２１２）への給電元である電力配電回路網（２１０）の識別情報（ＩＤＬ１）を前記装置（２１２）から受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記装置（２１２）に前記資格情報を付与すること
を行うように構成される少なくとも１個のプロセッサを含む、サーバ（２５）。
［付記１４］
サービスにアクセスするための位置ベースの資格情報を装置（２１２）に付与するためのコンピュータプログラムであって、前記装置（２１２）は位置識別情報に関連し、前記コンピュータプログラムは、
前記装置（２１２）への給電元である電力配電回路網（２１０）の識別情報（ＩＤＬ１）を受信することであって、前記識別情報（ＩＤＬ１）は前記電力配電回路網（２１０）上での電力線通信により前記装置（２１２）によって受信されること、及び
前記電力配電回路網（２１０）の前記識別情報（ＩＤＬ１）が前記位置識別情報と合致する場合は前記サービスにアクセスするための前記資格情報を付与すること
を行うためにプロセッサによって実行可能なプログラムコード命令を含む、
コンピュータプログラム。
［付記１５］
装置識別情報（ＩＤＤ１）及び前記電力配電回路網（２１０）の前記識別情報（ＩＤＬ１）をサーバに伝送する
ためにプロセッサによって実行可能なプログラムコード命令を更に含み、前記付与される資格情報は前記サーバから受信される、付記１４に記載のコンピュータプログラム。